(57)【要約】【課題】中央処理装置（ＣＰＵ）を複数持たせることなく、１回のサーチ処理でデジタル放送及びアナログ放送の全ての放送を検出し、さらに全体のチャンネルサーチ時間を短縮することができる放送受信装置を提供する。【解決手段】デジタル放送のうちの一のチャンネルのデジタル信号の同期判定を行い、視聴可能なデジタル放送信号が有ると判定された場合はデジタル放送チャンネルとしてメモリ１１に格納して次のチャンネルに進む一方、デジタル放送として視聴可能な信号がないと判定された場合はアナルグ放送のうちの一のアナログ信号の同期判定を行い、アナログ信号の同期信号が検出された場合はアナログ放送チャンネルとしてメモリ１１に格納して次のチャンネルの処理に進むチャンネルサーチモードを有する。【選択図】図１
2007295255.tif 000002
【特許請求の範囲】
【請求項１】
デジタル放送受信手段と、アナログ放送受信手段と、デジタル放送及びアナログ放送の帯域のチャンネルを順次に選局させるチャンネル選局手段と、選局したチャンネルの信号についてのオートゲインコントローラ信号及び同期信号の有無情報を取得する情報取得手段と、前記デジタル放送受信手段にて受信した信号の品質を検出する受信信号品質検出手段を具備し、
前記デジタル放送のうちの一のチャンネルのデジタル信号の同期判定を行い、視聴可能なデジタル放送信号が有ると判定された場合はデジタル放送チャンネルとしてメモリに格納して次のチャンネルに進む一方、前記デジタル放送として視聴可能な信号が無いと判定された場合は前記アナログ放送のうちの一のアナログ信号の同期判定を行い、アナログ信号の同期信号が検出された場合はアナログ放送チャンネルとして前記メモリに格納して次のチャンネルの処理に進むチャンネルサーチモードを有することを特徴とする放送受信装置。
【請求項２】
前記チャンネルサーチモード下で、前記デジタル放送信号のみのチャンネルサーチを行う第１モードと、前記アナログ放送信号のみのチャンネルサーチを行う第２モードと、前記デジタル放送信号及び前記アナログ放送信号の両方のチャンネルサーチを行う第３モードを有し、前記３つのモードのうち、どのモードにてチャンネルサーチを行うかをユーザーが選択する選択手段を具備した請求項１に記載の放送受信装置。
【請求項３】
デジタル放送受信手段と、アナログ放送受信手段と、デジタル放送及びアナログ放送の帯域のチャンネルを順次に選局させるチャンネル選局手段と、選局したチャンネルの信号についてのオートゲインコントローラ信号及び同期信号の有無情報を取得する情報取得手段と、前記デジタル放送受信手段にて受信した信号の品質を検出する受信信号品質検出手段を具備し、
前記デジタル放送のうちの一のチャンネルのデジタル信号の検出の際、オートゲインコントローラの制御レベルを検出し、何らかの信号の有無を検出して同期判定を行い、視聴可能なデジタル放送信号が有ると判定された場合はデジタル放送チャンネルとしてメモリに格納して次のチャンネルに進み、前記デジタル放送として視聴可能な信号が無いと判定された場合、かつ前記オートゲインコントローラの制御レベルによって何らかの信号が有ると判定された場合は前記アナログ放送のうちの一のアナログ信号の同期判定を行い、同期信号が検出された場合はアナログ放送チャンネルとして前記メモリに格納して次のチャンネルの処理に進むチャンネルサーチモードを有することを特徴とする放送受信装置。
【請求項４】
前記チャンネルサーチモード下で、前記デジタル放送信号のみのチャンネルサーチを行う第１モードと、前記アナログ放送信号のみのチャンネルサーチを行う第２モードと、前記デジタル放送信号及び前記アナログ放送信号両方のチャンネルサーチを行う第３モードを有し、前記３つのモードのうち、どのモードにてチャンネルサーチを行うかをユーザーが選択する選択手段とを具備した請求項３に記載の放送受信装置。
【発明の詳細な説明】
【技術分野】
【０００１】
本発明は、放送受信装置に関し、特にデジタル放送及びアナログ放送の両方を受信することができる放送受信装置に関する。
【背景技術】
【０００２】
衛星や地上波を用いたデジタル放送を受信するデジタル放送受信装置は、衛星アンテナや地上波アンテナを通して受け取った複数の放送波の中から、任意の放送波をデジタルチューナによって選択し、この選択した放送波に含まれる複数のチャンネルの中から任意のチャンネルをデマルチプレクス処理によってさらに選択するようになっている。そして、このデジタル放送受信装置は、この選択したチャンネルのデジタル信号を取り出し、これをデコードすることによって映像・音声信号を出力する。このようなデジタルテレビ放送を受信するデジタルチューナは、従来からのアナログ放送を受信するアナログチューナとの組み合わせにより、デジタル・アナログ放送受信装置を構成することができる。
【０００３】
この種のデジタル・アナログ放送受信装置における複数局のチャンネルのサーチ処理では、デジタルチューナ側でのチャンネルサーチ処理とアナログチューナ側でのチャンネルサーチ処理を効率的に短時間でサーチする技術として、以下のような従来例がある。
【０００４】
アナログ放送用チューナを用いた第１チャンネルサーチの１回のサーチ処理により、アナログ放送チャンネルの検出のみならず、デジタル放送チャンネルの存在をも推定し、デジタル放送チャンネルの情報を取得する第２チャンネルサーチにおいては、サーチ対象となる物理チャンネルは前記記憶推定済みのチャンネルに絞って少なくし、全体的なチャンネルサーチを短時間で終了する技術が記載されている。
【０００５】
従来技術の説明図として、アナログ放送チャンネルを取得する第１チャンネルサーチのフローを図５に示し、デジタル放送チャンネルの情報を取得する第２チャンネルサーチのフローを図６に示す。
【０００６】
従来の第１チャンネルサーチでは、図５に示すように、アナログ放送信号を受信すると初期選局サーチがスタートして、アナログ放送信号の有無を判定し、アナログ放送信号がある場合には同期信号を検出する。同期信号がある場合にはアナログ放送チャンネルとしてメモリに記憶し、同期信号がない場合にはデジタル放送チャンネルとしてメモリに記憶する。サーチチャンネルが最上位チャンネルであるときには選局サーチ処理を終了し、サーチチャンネルが最上位チャンネルではないときには次のチャンネルへシフトする。
【０００７】
従来の第２チャンネルサーチでは、図６に示すように、放送信号を受信すると簡易選局サーチがスタートして、記憶済みのチャンネル選局後にデジタル放送情報を取得する。送信番組の変更があると、メモリを更新して記憶済みの最上位チャンネルかどうかを判断して、サーチチャンネルが最上位チャンネルであるときには選局サーチを終了し、サーチチャンネルが最上位チャンネルではないときには次のチャンネルへシフトする（例えば、特許文献１を参照）。
【特許文献１】特開２００５−１１７０９４号公報
【発明の開示】
【発明が解決しようとする課題】
【０００８】
しかしながら、上述のデジタル・アナログ放送受信装置のように、第１チャンネルサーチでアナログ放送信号の検出をし、第２チャンネルサーチでデジタル放送信号の検出をするため、２回のサーチ処理が必ず必要となる。さらに、第１チャンネルサーチ後にデジタル放送局が新規に追加になっていた場合に、その新規なデジタル放送局は第２チャンネルサーチでは検出することができないという問題を有している。また、今後はデジタル放送がさらに普及してアナログ放送は終了するために、アナログ放送よりもデジタル放送を優先的に検出する方法が望ましい。
【０００９】
本発明は、そのような状況に鑑みてなされたもので、中央処理装置（ＣＰＵ）を複数持たせることなく、１回のサーチ処理でデジタル放送及びアナログ放送の全ての放送を検出し、さらに全体のチャンネルサーチ時間を短縮することができる放送受信装置を提供することを目的とする。
【課題を解決するための手段】
【００１０】
本発明はこうした課題を解決するための手段を提供するもので、各発明は、以下の技術手段を構成する。すなわち、上記課題を解決するために、第１の発明は、デジタル放送受信手段と、アナログ放送受信手段と、デジタル放送及びアナログ放送の帯域のチャンネルを順次に選局させるチャンネル選局手段と、選局したチャンネルの信号についてのオートゲインコントローラ信号及び同期信号の有無情報を取得する情報取得手段と、前記デジタル放送受信手段にて受信した信号の品質を検出する受信信号品質検出手段を具備し、前記デジタル放送のうちの一のチャンネルのデジタル信号の同期判定を行い、視聴可能なデジタル放送信号が有ると判定された場合はデジタル放送チャンネルとしてメモリに格納して次のチャンネルに進む一方、前記デジタル放送として視聴可能な信号が無いと判定された場合は前記アナログ放送のうちの一のアナログ信号の同期判定を行い、アナログ信号の同期信号が検出された場合はアナログ放送チャンネルとして前記メモリに格納して次の前記チャンネルの処理に進むチャンネルサーチモードを有することを特徴とする。
【００１１】
また、第２の発明は、第１の発明の放送受信装置において、前記チャンネルサーチモード下で、前記デジタル放送信号のみのチャンネルサーチを行う第１モードと、前記アナログ放送信号のみのチャンネルサーチを行う第２モードと、前記デジタル放送及び前記アナログ放送信号両方のチャンネルサーチを行う第３モードを有し、前記３つのモードのうち、どのモードにてチャンネルサーチを行うかをユーザーが選択するモード選択手段とを具備したことを特徴とする。
【００１２】
また、第３の発明は、デジタル放送受信手段と、アナログ放送受信手段と、デジタル放送及びアナログ放送の帯域のチャンネルを順次に選局させるチャンネル選局手段と、選局したチャンネルの信号についてのオートゲインコントローラ信号及び同期信号の有無情報を取得する情報取得手段と、前記デジタル放送受信手段にて受信した信号の品質を検出する受信信号品質検出手段を具備し、前記デジタル放送のうちの一のチャンネルのデジタル信号の検出の際、オートゲインコントローラの制御レベルを検出し、何らかの信号の有無を検出して同期判定を行い、視聴可能な前記デジタル放送信号が有ると判定された場合はデジタル放送チャンネルとしてメモリに格納して次のチャンネルに進み、前記デジタル放送として視聴可能な信号が無いと判定された場合、かつ前記オートゲインコントローラの制御レベルによって何らかの信号が有ると判定された場合は前記アナログ放送のうちの一のアナログ信号の同期判定を行い、同期信号が検出された場合はアナログ放送チャンネルとして前記メモリに格納して次のチャンネルの処理に進むチャンネルサーチモードを有することを特徴とする。
【００１３】
また、第４の発明は、第３の発明の放送受信装置において、前記チャンネルサーチモード下で、前記デジタル放送信号のみのチャンネルサーチを行う第１モードと、前記アナログ放送信号のみのチャンネルサーチを行う第２モードと、前記デジタル放送及び前記アナログ放送信号の両方のチャンネルサーチを行う第３モードを有し、前記３つのモードのうち、どのモードにてチャンネルサーチを行うかをユーザーが選択するモード選択手段とを具備したことを特徴とする。
【発明の効果】
【００１４】
本発明により、以下の効果がもたらされる。すなわち、デジタル放送及びアナログ放送のチャンネルサーチを行う際、１つの周波数で最初にデジタル放送チャンネルの検出を行い、続いてアナログ放送チャンネルの検出を行った後、次の周波数に進むことで、中央処理装置（ＣＰＵ）を複数持たせることなく、１回のチャンネルサーチ処理でデジタル放送及びアナログ放送の全ての放送を検出し、さらに全体のチャンネルサーチ時間を短縮することができる。また、１回のチャンネルサーチで、デジタル放送及びアナログ放送の全ての放送を検出することができる。
【発明を実施するための最良の形態】
【００１５】
以下に、図面を参照して、本発明の好ましい実施形態を詳しく説明する。本発明の放送受信装置の好ましい実施形態を、図１乃至図４に基づいて以下に説明する。図１は、本発明による放送受信装置の第１の実施形態おける構成の一例を示すブロックである。
【００１６】
図１に示す放送受信装置は、リモートコントローラ（以下「リモコン」と言う）１３と、アンテナ１０２と、受信機１０３を有している。受信機１０３は、デジタル放送受信手段と、アナログ放送受信手段などを有する。
【００１７】
図１に示すように、アナログ放送受信手段は、アナログチューナ部２０と、映像音声ＩＦ回路２１と、映像音声検波回路２２と、ＡＧＣ回路２３を有している。デジタル放送受信手段は、デジタルチューナ部１と、復調回路２と、誤り訂正部３と、トランスポートＤＥＭＵＸ（デマルチプレクサ）４と、ＭＰＥＧデコーダ５と、ＯＳＤ表示部７と、ビデオエンコーダ８と、音声ＤＡＣ９を有する。
【００１８】
アンテナ１０２は、受信機１０３のアナログチューナ部２０とデジタルチューナ部１に接続されており、アンテナ１０２からの受信信号２１０は、２分配されてアナログチューナ部２０及びデジタルチューナ部１に入力される。
【００１９】
アナログチューナ部２０は、アンテナ１０２からのＲＦ（高周波信号）を選局して中間周波数（ＩＦ）に変換する。このアナログチューナ部２０は、図示を省略しているが、受信ＲＦ信号を増幅する初段増幅器と、外部からの制御電圧によってゲインを可変とするＡＧＣアンプと、電圧制御発信器で発生するローカル周波数と受信ＲＦ信号との差周波数であるＩＦ信号を生成するミキサと、ＣＰＵ（中央処理装置）６から与えられる選局データにより電圧制御発信器を所定の一定周波数出力状態に制御するＰＬＬ回路等を備える。映像音声ＩＦ回路２１は、図示はしないが中間周波増幅器と、及び各種のトラップ回路を備えており、映像音声ＩＦ回路２１はアナログチューナ部２０から出力される中間周波数の信号の中から必要な帯域の周波数を高利得で増幅する。映像音声検波回路２２は、映像音声ＩＦ回路２１により増幅された中間周波数の映像信号を検波してカラーテレビ信号（輝度信号、色信号、同期信号）を取り出すと共に中間周波数の音声信号を検波して、アナログ映像音声出力２３０を出力する。ＡＧＣ回路２３は、映像音声検波回路２２からの映像信号レベル信号を検出し、この映像信号レベル信号が一定となるように、映像音声ＩＦ回路２１の増幅器にＡＧＣ電圧値（増幅度設定値）を与える。
【００２０】
一方、アンテナ１０２で受信されたデジタル放送波については、所定のチャンネルを選択するデジタルチューナ部１に入力され、復調回路２でベースバンドに復調される。そして、誤り訂正部３でデータの誤りを訂正した後、トランスポートＤＥＭＵＸ４でビットストリームから映像データと音声データとを分離する。分離した映像データ及び音声データは、ＭＰＥＧデコーダ５で復号化される。復号化された映像データは、ビデオエンコーダ８でテレビジョンの標準方式に変換されて、デジタル映像出力として出力される。一方、音声データは、音声ＤＡＣ９を通じてアナログ音声信号として出力される。また、ＣＰＵ６は、受信機１０３の全体の動作制御を行う。ＯＳＤ表示部７は、ＣＰＵ６からの指示により各種付加データを前記映像データに重畳し、或いは切換えて表示する。ＣＰＵ６は、デジタルチューナ部１に指令を与えて、デジタル放送及びアナログ放送の帯域のチャンネルを順次に選局させるチャンネル選局手段である。
【００２１】
デジタルチューナ部１や復調回路２は、内部に存在するオートゲインコントローラ（ＡＧＣ）の制御レベルを検出し、何らかの信号の有無を検出して同期判定を行う。このため、デジタルチューナ部１や復調回路２は、選局した前記デジタル放送チャンネルの信号についてのオートゲインコントローラ信号及び同期信号の有無情報を取得する情報取得手段でもある。
【００２２】
更に、受信状態検出部１０は、デジタルチューナ部１で選択されたチャンネルの受信状態を誤り訂正部３から検出して、ＣＰＵ６に制御信号４２０を送出する。この受信状態検出部１０は、デジタル放送受信手段にて受信した信号の品質を検出する受信信号品質検出手段である。このように受信状態検出部１０が、ＣＰＵ６に対して、デジタルチューナ部１で選択されたチャンネルの受信状態を示す制御信号を送出するのは、ＣＰＵ６が、受信されたデジタル放送のチャンネルの受信電波の状態の変化、ひいては選択されたデジタル放送のチャンネルの受信状態の変化を監視して、受信の可否を判断するためである。この受信状態検出部１０での受信状態の検出は、誤り訂正部３でビットエラーレート（ＢＥＲ）を検出し、このビットエラーレートが所定の値よりも多くなった場合には、デジタルチューナ部１で選択されたチャンネルは受信不能であると判断する。もしくは、キャリア対ノイズ比（Ｃ／Ｎ）を算出し、このキャリア対ノイズ比（Ｃ／Ｎ）が所定の値よりも小さくなった場合には、デジタルチューナ部１で選択されたチャンネルは受信不能と判断することも可能である。
【００２３】
リモコン１３には、放送チャンネルサーチを開始するためのチャンネルサーチ開始ボタンを設けておく。あるいは、ユーザーが、図３に示すようなメニュー画面においてチャンネルサーチを行うための操作ができるようにしておく。
【００２４】
次に、本発明の第１の実施例として、チャンネルサーチ動作手順を、図１と図２を参照しながら説明する。図２は、チャンネルサーチの手順を示すフローである。ユーザーが図１のリモコン１３のチャンネルサーチ開始ボタンを押すか、あるいはメニュー画面においてチャンネルサーチを行うための操作を行うことによって、受信機１０３はチャンネルサーチを開始する。
【００２５】
ユーザーがチャンネルサーチを開始すると、デジタルチューナ部１は最初のチャンネルの周波数を選局し、視聴可能なデジタル放送信号が存在するかどうかを判定する（ステップＳ１）。この視聴可能なデジタル放送信号が存在するかどうかの判定処理では、あるデジタル放送チャンネルのデジタル信号の同期信号が検出された場合は、ＣＰＵ６は受信状態検出部１０によって受信状態を検出させて、ＣＰＵ６は視聴可能な品位のデジタル放送信号かどうかを判定する。視聴可能と判断した場合は、このデジタル放送信号は、デジタル放送チャンネルとしてメモリ１１に記憶する（ステップＳ３）。
【００２６】
これに対して、ある放送チャンネルのデジタル信号の同期信号が検出されても視聴に耐えうる品質でない場合や、あるチャンネルのデジタル信号の同期信号が取れなかった場合は、デジタル放送信号がないものとして、アナログチューナ部２０によりこのデジタル放送チャンネルの周波数を選局し、同期信号の有無を確認することで、ＣＰＵ６はアナログ放送信号の有無を判定する（ステップＳ２）。
【００２７】
そして、放送チャンネルにアナログ放送信号がある場合は、アナログ放送信号は、アナログ放送チャンネルとして図１のメモリ１１に記憶する（ステップＳ４）。次に、ＣＰＵ６は、放送チャンネルサーチにおいて選択している放送チャンネルが最上位チャンネルかどうかを判定し、すなわち放送チャンネルサーチを終了するかどうかを判定し（ステップＳ５）、まだ選局していない周波数が存在する場合には、次の放送チャンネルへシフトし（ステップＳ６）、同様のステップＳ１１からステップＳ１６の処理を繰り返す。
【００２８】
以上のように、ある放送チャンネルのデジタル信号の同期判定を行った後に、アナログ信号の同期判定を行うために、ＣＰＵ６はデジタル放送及びアナログ放送の検出を１回のチャンネルサーチで行うことができる。すなわち、１つのＣＰＵ６を用いるだけで、１回の放送サーチ処理でデジタル放送及びアナログ放送の全ての放送を検出できる。また、デジタル放送として視聴可能な放送チャンネルが存在する周波数に関しては、もはやアナログ放送の同期判定を行わないことで、全体のチャンネルサーチにおけるサーチ時間を短縮することができる。
【００２９】
受信機１０３が行うチャンネルサーチモード下では、デジタル放送信号のみのサーチを行う第１チャンネルモードと、アナログ放送信号のみのサーチを行う第２チャンネルモードと、デジタル放送及びアナログ放送信号両方のサーチを行う第３モードの合計３通りのモードが可能な構成とする。デジタル放送のみのチャンネルサーチ及びアナログ放送のみのチャンネルサーチは、従来の各チャンネルサーチと同様である。
【００３０】
本発明の実施形態では、前記３つのモードのうち、どのモードによりチャンネルサーチを行うかをユーザーが選択できるようにするために、メニュー画面にチャンネルサーチ設定の項目を設けておく。メニュー画面の表示例は図３に示す。図３に示すメニュー画面は、チャンネルサーチ設定の項目であるデジタル放送・アナログ放送のサーチ項目と、デジタル放送のみのサーチ項目及びアナログ放送のみの項目を有している。図３では、チャンネルサーチ設定の項目にマーカが表示されているように、デジタル放送及びアナログ放送両方のチャンネルサーチを行うモードを選択した場合の例を示している。このメニューでは、３つのチャンネルサーチモードのうちいずれか１つを選択できるようにする。
【００３１】
このような３つのチャンネルサーチモードの選択手段を設けておくことで、アナログ放送のみ視聴しているユーザーや、アナログ放送のチャンネルサーチが不要となった際に、無駄な処理を省き、チャンネルサーチ時間を短縮することができる。
【００３２】
次に、本発明の第２の実施形態について、図４と図１を参照して説明する。図４は、第２の実施形態を説明するフロー図である。図４の第２の実施形態では、図１ないし図３の第１の実施形態と同様に、ユーザーの操作によって放送チャンネルサーチを開始する。
【００３３】
デジタルチューナ部１は、最初の放送チャンネルのデジタル放送の周波数を選局して、視聴可能なデジタル放送信号が存在するかどうかを判定する（ステップＳ１１）。デジタル信号の検出の際は、デジタルチューナ部１や復調回路２の内部に存在するオートゲインコントローラ（ＡＧＣ）の制御レベルを検出し、何らかの信号の有無を検出して同期判定を行う。
【００３４】
同期が検出された場合は、ＣＰＵ６は図１の受信状態検出部１０によって受信状態を検出し、図１のＣＰＵ６は視聴可能な品位のデジタル放送信号かどうかを判定する。視聴可能と判断した場合は、デジタル放送信号はデジタル放送チャンネルとしてメモリ１１に記憶する（ステップＳ１４）。
【００３５】
これに対して、同期信号が取れても視聴に耐えうる品質でない場合や、同期信号が取れなかった場合は、デジタル放送信号がないものとして、前記デジタルチューナ部１や復調回路２の内部に存在するオートゲインコントローラ（ＡＧＣ）の増幅率を確認する（ステップＳ１２）。ステップＳ１２において、ＡＧＣ増幅率が所定値よりも小さい場合は、この周波数帯域に何らかの信号があると考えられるため、ステップＳ１３のアナログ放送信号の同期判定処理に進む。
【００３６】
一方、ステップＳ１２において、ＡＧＣ増幅率が所定値以上となった場合は、この周波数帯域に受信可能な信号は存在しないと考えられるため、このチャンネルサーチを終了する。
【００３７】
アナログ放送の同期判定処理では、アナログチューナ部２０によりこのチャンネルの周波数を選局し、同期の有無を確認することで、アナログ放送信号の有無を判定する（ステップＳ１３）。ステップＳ１３において、アナログ放送信号がある場合は、アナログ放送チャンネルとしてメモリ１１に記憶する（ステップＳ１５）。
【００３８】
次に、チャンネルサーチしている放送チャンネルが最上位チャンネルかどうか、すなわちチャンネルサーチを終了するかどうかを判定し（ステップＳ１６）、まだ選局していない周波数が存在する場合には、次の放送チャンネルへシフトして（ステップＳ１７）、同様のステップＳ１１からステップＳ１６の処理を繰り返す。
【００３９】
以上のように、デジタルの同期判定を行った後に、ＡＧＣ増幅率によりアナログ放送波が存在するかどうかの判定を通して、アナログの同期判定を行うため、アナログ信号が存在しない放送チャンネルに関してはアナログ放送の同期判定処理を行う必要がなく、第１の実施形態の場合に比べて、全体のチャンネルサーチ時間をさらに短縮することができる。
【００４０】
上述した本発明の第２の実施形態においても、放送チャンネルサーチモード下では、デジタル放送信号のみのチャンネルサーチを行う第１モードと、アナログ放送信号のみのチャンネルサーチを行う第２モードと、デジタル放送及びアナログ放送信号両方のチャンネルサーチを行う第３モードの合計３通りのモードが選択可能な構成である。
【００４１】
図３に示すように、どのモードにてチャンネルサーチを行うかをユーザーが選択できるように、メニューにチャンネルサーチ設定の項目を設けておく。このようにして、アナログ放送のみ視聴しているユーザーや、アナログ放送のチャンネルサーチが不要となった際に、無駄な処理を省き、チャンネルサーチ時間を短縮することを可能とする。
【００４２】
以上実施例で本発明を説明したが、本発明は上記実施形態に限定されず、特許請求の範囲を逸脱しない範囲で種々の変形例を採用できる。
【図面の簡単な説明】
【００４３】
【図１】本発明の放送受信装置の一実施形態を示す機能ブロック図である。
【図２】本発明の放送受信装置の一実施形態を説明するフロー図である。
【図３】本発明の放送受信装置の一実施形態を示す図である。
【図４】本発明の放送受信装置の一実施形態を説明するフロー図である。
【図５】従来の技術におけるアナログ放送チャンネルを取得する第１チャンネルサーチのフロー図である。
【図６】従来の技術におけるデジタル放送チャンネルを取得する第２チャンネルサーチのフロー図である。
【符号の説明】
【００４４】
１  デジタルチューナ部（情報取得手段）
２  復調回路（情報取得手段）
３  誤り訂正部
４  トランスポートＤＥＭＵＸ
５  ＭＰＥＧデコーダ
６  ＣＰＵ（受信信号品質検出手段）
７  ０ＳＤ表示部
８  ビデオエンコーダ
９  音声デコーダ
１０  受信状態検出部（受信信号品質検出手段）
１１  メモリ
１３  リモコン
２０  アナログチューナ部
２１  映像音声ＩＦ回路
２２  映像音声検波回路
２３  ＡＧＣ回路
１０２  アンテナ
【図１】
2007295255.tif 000003
【図２】
2007295255.tif 000004
【図３】
2007295255.tif 000005
【図４】
2007295255.tif 000006
【図５】
2007295255.tif 000007
【図６】
2007295255.tif 000008